(57)【要約】      （修正有）【課題】スポーツのプレー中に体重移動を行う際、それを容易・確実に実施することが出来るようにする靴下を提供する。【解決手段】爪先部，足部，踵部を有する筒状編地よりなる靴下において、爪先部，足部，踵部を形成する編地の小指側に位置する半幅Ｈ相当の編地面を、パイルを叢生したパイル編地９とし、その他の部位の残余の編地は、パイル編地よりも薄地の編地１０とし、ゴルフスイング時に足底内側への重心移動を自然に行えるようにした。また、爪先部、足部，踵部に配されたパイル編地のパイルは、編地の内面又は外面の何れか、若しくは編地の両面に設けられたものとすることにより厚味の調整を容易にしている。【選択図】図１
0003194442.tif 000002
【実用新案登録請求の範囲】
【請求項１】
爪先部，足部，踵部を有する筒状編地よりなる靴下において、前記、爪先部，足部，踵部を形成する編地の小指側に位置する半幅相当の編地面を、パイルを叢生したパイル編地とし、その他の部位の残余の編地はパイル編地とすることなく、前記パイル編地よりも薄地の編地とし、スイング時に足底内側への重心移動を自然に行えるようにしたことを特徴とする靴下。
【請求項２】
爪先部、足部，踵部に配されたパイル編地のパイルは、編地の内面又は外面の何れか、若しくは編地の両面に設けられたものとすることによりパイル編地部分の厚味の調整を容易にしたことを特徴とする請求項１記載の靴下。 
【考案の詳細な説明】
【技術分野】
【０００１】
本考案は、各種運動を行う際に、それぞれの運動に適した重心位置によりプレーすることが出来る靴下に関する。
【背景技術】
【０００２】
スポーツを行う際に着用する靴下は、クッション性や滑り防止性に視点が置かれ、それらに対応した靴下が開発され(特許文献１)、また、左右の靴の各足裏と接する部分の踵より指先に向けて、土踏まず近傍から内側部分に対し、外側部分を低くし、該内側部分に重心を載せて歩くことの出来る靴（特許文献２）が知られている。
然しながら、スポーツ活動時には、それぞれのスポーツに適した体又は脚の重心位置がある。
例えばゴルフにおいてスウィングの際、プレーヤーは、左右の靴の爪先を結ぶ線が目標方向と平行となるようにアドレスし、テイクバックを開始しクラブヘッドを右へ弧状にトップ位置まで振り上げる（右利の場合）。この時足底は、母指球（内側）を重心にしスタンスを固めている。
そして、トップ位置から反転しダウンスウィングとなり、クラブヘッドがボールに当たりボールを打ち出し、フォロースルーの後、フィニッシュとなる。上記の動きの間トップ位置からフィニッシュまでプレーヤーは左足を軸としてボディーターンを行う。
この一連のスウィングの間、左右足底部の内側重心を意識することにより、スウィングの安定をもたらしていると云われている。
【０００３】
本考案は、上記スウィング等の動作の際に、重心を足部の内側へ残す動きを自然に行うことを可能とする足底部を有する靴下を得んとするものである。
【先行技術文献】
【特許文献】
【０００４】
【特許文献１】特開２００９−９７１２２号公報
【特許文献２】特開２０１１−１１０２７号公報
【考案の概要】
【考案が解決しようとする課題】
【０００５】
靴下は、その形状から例えば長靴下，短靴下，フルレングスソックス，フルレングスホース，オーバーニーレーングスホース，ニーレングスホース等に分けられ、或は用途別に分けられスポーツ用であるときは、そのスポーツをプレーする際に最も適した構成の靴下として、例えばゴルフ用，テニス用，登山用，スキー用等に分けてその製品の識別性を高めている。
本考案靴下は、これらの靴下の中でスポーツを行う際に適し、両足の外側を高くする事により、内側へ重心を与える型であり、プレーの最中に体重移動を行う際、それを容易・確実に実施することが出来るようにする靴下を得ることを目的としている。また、静止状態においても内側重心を意識させる形状となっている。
【課題を解決するための手段】
【０００６】
請求項1記載の考案は、爪先部，足部，踵部を有する筒状編地よりなる靴下において、前記、爪先部，足部，踵部を形成する編地の小指側に位置する半幅相当の編地面を、パイルを叢生したパイル編地とし、その他の部位の残余の編地はパイル編地とすることなく、前記パイル編地よりも薄地の編地とし、スウィング時に足底内側への重心移動を自然に行えるようにしたことを特徴としている。
【０００７】
請求項２記載の考案は、請求項1記載の靴下であって、爪先部、足部，踵部に配されたパイル編地のパイルは、編地の内面又は外面の何れか、若しくは編地の両面に設けられたものとすることによりパイル編地部分の厚味の調整を容易にしたことを特徴としている。
【考案の効果】
【０００８】
本考案靴下は、爪先部，足部，踵部を形成する編地の小指側に位置する半幅相当の編地面に、パイルを叢生したパイル編地を配しているため、靴下の底部にパイル編地により高低差が生じ力点ともなる親指付け根の母指球部は低くなり、この部分を、例えばスパンデックス等により伸縮性を強化し締め付けを発生させれば運動中その部分に意識を集中させ重心のコントロールも可能となる上、該編地の組織は滑り止めの効果も発揮する。
【０００９】
また、パイル編地を構成するパイルの配置位置を、パイル編地の編地の内面又は外面の何れか、若しくは編地の両面に設けることが出来るため、例えば、肌に接する編地表面の感覚に応じ、パイル編地のパイルが肌に接するようにして保温性を高めるとか非パイル面を肌に接して接触抵抗を大とするなどの選択を行うことが出来る。
【図面の簡単な説明】
【００１０】
【図１】靴下を着用した右脚の正面図で、着用した靴下は、図２のI−I線位置で爪先側部分を切除した状態を示す。
【図２】靴下を着用した右脚の右側面図で、靴下は、爪先部，足部，踵部を縦断する方向に切除されている。
【図３】右足用の靴下の足底編地を示す底面図である。
【考案を実施するための形態】
【００１１】
本考案靴下１の、実施の一例を図面と共に次に説明する。
本考案靴下１は、爪先部２，足部３，踵部４よりなる筒状編地５を構成してなり、前記筒状編地５を構成する爪先部２，足部３，踵部４を一体に連続形成する足底編地６の構造に特徴を有するものである。従って、踵部４に連なって穿口部７まで延在する脚部８及び穿口部７の構成については長短適宜とする。
【００１２】
本考案靴下１の編成手順については、通常一般の靴下のそれと変化するところは無い。その一例を図２により示せば穿口部７を円筒状に編み始め、脚部８，踵部４，足部３，爪先部２の順に、筒状編地５を編み進め、その間踵部４，足部３，爪先部２と続く前記筒状編地５の一部よりなる足底編地６は、小指１３側に位置する靴下の幅の半分の幅に相当する、即ち、靴下の足底編地の半分の幅Ｈに相当する幅の編地面を、パイルを叢生したパイル編地９として編成される。上記パイル編地９以外の部分の編地は非パイル編地１０としている。そして、非パイル編地１０はパイル編地９よりも薄地の編地としている。
【００１３】
上記構成のために本考案靴下１を着用した場合、小指１３側の、靴下の足裏の半分の幅Ｈに相当する部位に、靴下の足底編地６の地厚なパイル編地９部分が接することになると共に、親指側足裏１１及び母指球１２等に接する足底編地６は低位置となり、内側に重心を移すことにより動きを活発化する内側重心を自然に行える。
【００１４】
更に、足底編地６を外側の小指１３側編地をパイル編成として地厚のものとし、内側の母指球１２側は低くし、母指球１２の接する部分は、例えばスパンデックス等により、伸縮性を強化し、生地に締め付けを発生させている。
その刺激によりプレー中に意識を集中させることが出来、かつ、プレー中の過剰な動きを制してすべり防止の機能を発揮することも出来る。
【符号の説明】
【００１５】
１  靴下
２  爪先部
３  足部
４  踵部
５  筒状編地
６  足底編地  
７  穿口部
８  脚部
９  パイル編地
１０  非パイル編地
１１  親指側足裏
１２  母指球
１３  小指
Ｈ  靴下編地の半分の幅 
【図１】
0003194442.tif 000003
【図２】
0003194442.tif 000004
【図３】
0003194442.tif 000005